(57)【特許請求の範囲】
【請求項１】
円筒形状のパンチガイド内に、下端部にパンチ刃部を備えたパンチボディを上下動自在に備え、パンチボディと一体的に設けたパンチヘッドとパンチガイドの上部に備えたリテーナとの間に弾性部材を備えた上金型であって、前記パンチガイドの上部内面に内周溝を備えると共に当該内周溝とパンチガイドの上面とを連通した上下方向の連通路を備え、前記リテーナの下部に、前記連通路を通過して前記内周溝に係合自在な係合突起部を備えていることを特徴とする上金型。
【請求項２】
請求項１に記載の上金型において、前記リテーナを上下動自在に貫通したパンチドライバに、パンチボディを上下調節可能に螺合して設け、前記パンチボディに備えたキーを係合自在なキー溝を前記パンチガイドの内面に上下方向に備え、このキー溝の上部を前記パンチガイドの上面に連通してあることを特徴とする上金型。
【請求項３】
請求項２に記載の上金型において、前記キー溝及びキーはそれぞれ複数設けてあることを特徴とする上金型。
【発明の詳細な説明】
【技術分野】
【０００１】
本発明は、例えばタレットパンチプレス等のごときパンチプレスに装着して使用する上金型に係り、さらに詳細には、パンチガイドに対するリテーナの着脱を容易に行うことのできる上金型に関する。
【背景技術】
【０００２】
タレットパンチプレス等のパンチプレスに装着して使用する上金型は、一般的には、円筒形状のパンチガイド内に、下端部にパンチ刃部を備えたパンチボディを上下動自在に備えている。そして、上記パンチボディの上部に相対的に上下調節可能に螺合したパンチドライバの上部に備えたパンチヘッドと前記パンチガイドの上部に備えたリテーナとの間に、ストリッパースプリングが弾装してある。さらに、前記パンチガイドの下端部には、パンチング加工時にワークを押さえるためのストリッパープレートが着脱交換可能に備えられている（特許文献１参照）。
【０００３】
上記特許文献１に記載の上金型は、図４に記載のごとき構成である。すなわち、上金型１は、パンチプレスにおける上型ホルダ３に上下動自在に支持される円筒形状のパンチガイド５を備えている。このパンチガイド５の上部に備えたフランジ部５Ｆ上にはリング状のリテーナ７が回動固定自在に備えられている。そして、このリテーナ７を上下動自在に貫通したパンチドライバ９の上部に固定したパンチヘッド１１と前記リテーナ７との間には、ストリッパースプリングとして皿バネ等の弾性部材１３が弾装してある。
【０００４】
前記リテーナ７とパンチドライバ９は相対的に上下動可能な関係にあって、パンチドライバ９の外周面に形成した上下方向のキー溝１５には、リテーナ７に備えたキー１７の先端部が係合してある。そして、常態においては、前記パンチドライバ９の下端部に備えたフランジ部９Ｆは、前記パンチガイド５の上部内周面に備えた内側フランジ１９の下面に当接した状態にある。
【０００５】
前記パンチガイド５に対して前記リテーナ７を回動固定するために、前記リテーナ７の下面には円形状の周溝２１が形成してあり、この周溝２１の適宜ピッチ位置には放射外方向への係合凹部２３が形成してある。そして、前記パンチガイド５の前記フランジ部５Ｆには、前記周溝２１から前記係合凹部２３へ移動可能な係合ピン２５を備えたスライド部材２７が径方向（放射方向）へ移動自在に備えられており、このスライド部材２７はコイルスプリングのごとき弾性部材２９によって放射外方向へ付勢されている。
【０００６】
上記構成により、弾性部材２９の付勢力に抗してスライド部材２７を押圧し、係合ピン２５を周溝２１の位置へ移動することにより、パンチガイド５に対してリテーナ７を回動することができる。そして、係合凹部２３に係合ピン２５を係合することにより、パンチガイド５に対してリテーナ７を回動不能に固定することができるものである。
【０００７】
前記パンチガイド５内には、下端部にパンチ刃部３１を備えたパンチボディ３３が上下動自在に嵌入してある。上記パンチボディ３３は上部パンチボディ３３Ｕと下部パンチボディ３３Ｌとに分割してあり、上下のパンチボディ３３Ｕ，３３Ｌはボルトのごとき連結具３５によって連結してある。前記上部パンチボディ３３Ｕの上部は前記パンチドライバ９に上下調節可能に螺合してあり、この上部パンチボディ３３Ｕと下部パンチボディ３３Ｌとの相互の位置決めを行うためのキー３７が上部パンチボディ３３Ｕの下面に取付けてある。さらに、このキー３７は、前記パンチガイド５に形成した上下方向のキー溝３９に係合してある。
【０００８】
したがって、前述したように、パンチガイド５に対してリテーナ７を回動すると、パンチボディ３３が上下動されることとなり、前記パンチヘッド１１から前記パンチ刃部３１までの高さ寸法を調節することができる。
【０００９】
前記パンチガイド５の下端部には円盤状のストリッパープレート４１が着脱交換可能に装着されている。上記ストリッパープレート４１の外周面には周溝のごとき係合溝４３が形成してある。そして、前記パンチガイド５における下端部の複数箇所には、上記係合溝４３に係合離脱自在な係合部を下端部に備えた板バネなどのごとき適宜の係止片４５が揺動可能に備えられている。さらに、前記パンチガイド５の下部には、前記係合溝４３に対して前記係止片４５を係止した状態及び前記係止を解除した状態に操作するための操作リング４７が回動固定自在に備えられている。
【００１０】
すなわち、前記操作リング４７の内周面で前記係止片４５に対応する位置には、前記係止片４５を半径内方向へ押圧する押圧部４９（図５参照）が形成してあると共に、前記係止片４５の半径外方向への移動を許容する凹状の押圧解除部５１を備えた切欠凹部５３が形成してある。
【００１１】
したがって、パンチガイド５に対して操作リング４７を回動して、前記押圧部４９でもって前記係止片４５を押圧すると、係止片４５の係合部がストリッパープレート４１の係合溝４３に係合し、ストリッパープレート４１がパンチガイド５の下部に固定される。そして、前記操作リング４７の押圧解除部５１が前記係止片４５に対応するように回動すると、係止片４５によるストリッパープレート４１の固定が解除され、パンチガイド５に対するストリッパープレート４１の着脱交換が可能になる。
【００１２】
ワークの打抜き加工時の振動等によって操作リング４７が回動しないようにロックするために、前記操作リング４７の上面には係合凹部５５（図６参照）が形成してあり、この係合凹部５５には、前記パンチガイド５に上下動自在に備えたロック部材５７の下端部５７Ｌが係合してある。そして、前記ロック部材５７はスプリング５９によって常に下方向へ押圧付勢されている。
【００１３】
したがって、前述したように、パンチガイド５に対して操作リング４７を回動するには、前記ロック部材５７を操作して、このロック部材５７の下端部５７Ｌを、操作リング４７の係合凹部５５から離脱する必要があるものである。
【特許文献１】特開２００２−２０５１３０号公報
【発明の開示】
【発明が解決しようとする課題】
【００１４】
前述したごとき従来の構成においては、上金型を組立てるとき、パンチガイドとリテーナやパンチドライバの組立てが中々難しいという問題がある。また、従来の構成においては、ストリッパープレートの着脱を行う場合には、一方の手でロック部材５７を操作して操作リング４７の係合凹部５５から上記ロック部材５７の下端部５７Ｌを離脱し、他方の手で前記操作リング４７を回動してストリッパープレート４１の着脱を行わなければならず、ストリッパープレート４１の着脱をより容易に行い得ることが望まれている。
【課題を解決するための手段】
【００１５】
本発明は、前述のごとき従来の問題に鑑みてなされたもので、円筒形状のパンチガイド内に、下端部にパンチ刃部を備えたパンチボディを上下動自在に備え、パンチボディと一体的に設けたパンチヘッドとパンチガイドの上部に備えたリテーナとの間に弾性部材を備えた上金型であって、前記パンチガイドの上部内面に内周溝を備えると共に当該内周溝とパンチガイドの上面とを連通した上下方向の連通路を備え、前記リテーナの下部に、前記連通路を通過して前記内周溝に係合自在な係合突起部を備えていることを特徴とするものである。
【００１６】
また、前記上金型において、前記リテーナを上下動自在に貫通したパンチドライバに、パンチボディを上下調節可能に螺合して設け、前記パンチボディに備えたキーを係合自在なキー溝を前記パンチガイドの内面に上下方向に備え、このキー溝の上部を前記パンチガイドの上面に連通してあることを特徴とするものである。
【００１７】
また、前記上金型において、前記キー溝及びキーはそれぞれ複数設けてあることを特徴とするものである。
【発明の効果】
【００１８】
本発明によれば、パンチガイドに対してリテーナの着脱を容易に行うことができ、延いては、上型の組立てを容易に行うことができるものである。
【発明を実施するための最良の形態】
【００１９】
以下、図面を用いて本発明の実施形態の詳細について説明するに、前述した従来の上金型における構成要素と同一機能を奏する構成要素には同一符号を付することとして重複した説明は省略する。
【００２０】
図１を参照するに、本発明の実施形態に係る上金型は、従来の上金型と同様に円筒形状のパンチガイド５を備えており、このパンチガイド５の上部には環状のリテーナ７が着脱可能に装着してある。このリテーナ７にはパンチドライバ９が上下動自在に貫通してあり、このパンチドライバ９の上部に固定したパンチヘッド１１と前記リテーナ７との間には弾性部材１３が弾装してある。前記パンチドライバ９の下端部のフランジ部９Ｆは、前記リテーナ７に、上方向に抜け出ないように直接係止してある。
【００２１】
前記パンチガイド５に対してリテーナ７を着脱するために、前記パンチガイド５の上部内面には内周溝６１を備えている。この内周溝６１の複数箇所には、パンチガイド５の上面に連通した切欠き凹形状の連通路６３が備えられている。そして、前記リテーナ７の下面の複数箇所には、前記連通路６３を通過して前記内周溝６１に係合自在なフランジ状の係合突起部６５（図３参照）が形成してある。さらに、前記リテーナ７の下面には、従来の構成と同様の周溝２１及び係合凹部２３が設けられている。そして、前記パンチガイド５におけるフランジ部５Ｆには、係合ピン２５（図２参照）を備えたスライド部材２７を径方向（放射方向）へ移動自在に備えており、このスライド部材２７はコイルスプリングなどのごとき弾性部材２９によって放射外方向へ付勢されている。
【００２２】
前記パンチドライバ９に上下調節可能に螺合した上部パンチボディ３３Ｕには、パンチガイド５に形成したキー溝３９に上下動自在に係合したキー３７が取付けてある。そして、前記パンチガイド５において前記キー溝３９と対称的な位置には第２のキー溝３９Ａが形成してあり、この第２のキー溝３９Ａには、上部パンチボディ３３Ｕに固定した第２のキー３７Ａが上下動自在に係合してある。前記キー溝３９，３９Ａは前記パンチガイド５の上面に達しており（図２参照）、前記キー３７，３７Ａはパンチガイド５から上方向へ抜き出し可能である。
【００２３】
上記構成において、弾性部材２９の付勢力に抗してスライド部材２７を放射内方向へ移動し、係合ピン２５を係合凹部２３から周溝２１の位置へ移動すると、パンチガイド５に対してリテーナ７を相対的に回動することができる。したがって、リテーナ７に備えた係合突起部６５を前記連通路６３の位置に位置決めすると、リテーナ７をパンチガイド５の上部から取り外すことができる。この際、キー溝３９，３９Ａがパンチガイド５の上面に達しているので、パンチボディ３３もパンチガイド５から一体的に抜き出すことができる。
【００２４】
換言すれば、パンチガイド５に対するリテーナ７、パンチボディ３３等の着脱を工具を用いることなしに容易に行うことができるものである。したがって、パンチドライバ９に対してパンチボディ３３を組付けた状態でもってパンチガイド５に対する組付けを行うことができるので、上金型の全体的な組立てを容易に行うことができるものである。なお、前記内周溝６１は、前記係合突起部６５を係止する機能を有すればよいものであり、例えば内周溝６１の上部にピン又は板状部材等を内方向へ突出して備え、これらの突出部によって前記係合突起部６５を係止する構成とすることも可能である。
【００２５】
また、前記構成においては、パンチガイド５の対称的な２ヶ所にキー溝３９，３９Ａを設け、このキー溝３９，３９Ａに、パンチボディ３３に取付けたキー３７，３７Ａを係合した構成であるから、パンチガイド５の内周面とパンチボディ３３の外周面との間の微少クリアランスの存在による、パンチガイド５に対するパンチボディ３３の微少な偏心や軸心回りの微小な回動を効果的に抑制することができ、上金型の精度向上を図ることができるものである。
【００２６】
前記パンチガイド５の下部には、ストリッパープレート４１が着脱可能に取付けてある。このストリッパープレート４１の係合溝４３には、パンチガイド５の下部に揺動可能に備えた係止片４５の係合部が係合してあり、この係止片４５の操作を行うための操作リング４７が前記パンチガイド５の外周に回動可能に装着してある。この操作リング４７が前記係止片４５を操作する構成は前述した従来の構成と同一の構成である。
【００２７】
本実施形態においては、図１に示すように、パンチガイド５の下端部外周面の複数箇所には、Ｌ字形状の係合溝６７が形成してある。この係合溝６７は、パンチガイド５の下端部に一端部が達している垂直な上下溝６９Ａと外周に沿った水平な水平溝６９Ｂとを連続して備えることによってＬ字形状に形成してある。そして、水平溝６９Ｂの中間位置には、後述する係止部材を係止自在の凹部７１Ａが形成してあり、かつ端部にも僅かな凹部７１Ｂが形成してある。
【００２８】
前記係合溝６７に対応して、前記操作リング４７の複数箇所には、前記係合溝６７に沿って移動自在かつ前記凹部７１Ａ，７１Ｂに係合自在な鋼球などのごとき係止部材７３が備えられている。この係止部材７３は、例えばボールプランジャなどによって構成することも可能である。そして、前記パンチガイド５の下端部の複数箇所に設けた上下方向の穴内には、前記操作リング４７を下方向へ凹圧するためのピンなどのごとき押圧部材７５が上下動自在に嵌入してある。この押圧部材７５は、前記穴内に弾装したコイルスプリング等のごとき弾性部材７７によって常に下方向へ押圧付勢されている。
【００２９】
前記構成において、前記係止部材７３を、前記係合溝６７の垂直溝６９Ａに係合してパンチガイド５の下端部に嵌合し、かつ回動して前記係止部材７３を水平溝６９Ｂに係合することにより、前記操作リング４７はパンチガイド５の下端部に回動自在に支持されているものである。そして、前記係止部材７３を前記水平溝６９Ｂの凹部７１Ａに係合した状態においては、操作リング４７は弾性部材７７により押圧されて僅かに下降した状態にあり、かつ操作リング４７に備えた押圧部４９は係止片４５を内方へ押圧した状態にある。すなわち、ストリッパープレート４１は着脱交換が不可能な状態にロックされた状態にある。
【００３０】
また、前記操作リング４７を回動して、前記係止部材７３を水平溝６９Ｂの凹部７１Ｂに係合した状態においては、操作リング４７に備えた前記押圧解除部５１が係止片４５に対応した位置にあって、ストリッパープレート４１は係止片４５によるロック状態を解除された状態にある。すなわち、ストリッパープレート４１は、着脱交換可能な状態にある。
【００３１】
前記構成においては、前述したように、前記係止部材７３が前記凹部７１Ａに係合してストリッパープレート４１を着脱交換不能にロックした状態にあるとき、前記凹部７１Ａから係止部材７３を離脱するように、押圧部材７５の付勢力に抗して操作リング４７を僅かに押上げる。その後、操作リング４７を回動して係止部材７３を凹部７１Ｂに係合すると、前述したように、ストリッパープレート４１のロック状態が解除されて、ストリッパープレート４１の着脱交換が可能になるものである。
【００３２】
上記説明より理解されるように、操作リング４７を押圧部材７５の付勢力に抗して押上げ、係止部材７３が凹部７１Ａと凹部７１Ｂとの間を移動するように回動することにより、ストリッパープレート４１をロック状態，ロック解除状態に切り換えることができる。したがって、操作リング４７は片方の手で操作することができるものであり、ストリッパープレート４１のロック，解除の操作を容易に行うことができるものである。
【００３３】
なお、前記係合溝６７をパンチガイド５の外周面に設けて係止部材７３を操作リング４７に設けるか、又は係合溝６７を操作リング４７の内周面に形成して係止部材７３をパンチガイド５に設けるかは相対的なものである。
【図面の簡単な説明】
【００３４】
【図１】本発明の実施形態に係る上金型の断面説明図である。
【図２】パンチガイドの平面説明図である。
【図３】リテーナの底面説明図である。
【図４】従来の上金型の断面説明図である。
【図５】従来の上金型の底面説明図である。
【図６】従来の上金型において操作リングを回動不能状態に固定するための構成を示す説明図である。
【符号の説明】
【００３５】
１    上金型
５    パンチガイド
７    リテーナ
９    パンチドライバ
１１    パンチヘッド
１３    弾性部材
１５，３９    キー溝
１７，３７    キー
２１    周溝
２３    係合凹部
２５    係合ピン
２７    スライド部材
２９    弾性部材
３１    パンチ刃部
３３    パンチボディ
３７Ａ    第２のキー
３９Ａ    第２のキー溝
４１    ストリッパープレート
４３，６７    係合溝
４５    係止片
４７    操作リング
４９    押圧部
５１    押圧解除部
５３    切欠き凹部
６１    内周溝
６３    連通路
６５    係合突起部
６９Ａ    垂直溝
６９Ｂ    水平溝
７１Ａ，７１Ｂ    凹部
７３    係止部材
７５    押圧部材
７７    弾性部材
【図１】
0004451372.tif 000002
【図２】
0004451372.tif 000003
【図３】
0004451372.tif 000004
【図４】
0004451372.tif 000005
【図５】
0004451372.tif 000006
【図６】
0004451372.tif 000007